(57)【特許請求の範囲】
【請求項１】
電動送風機を内蔵した掃除機本体と、該掃除機本体に接続されるホースと、該ホースに接続されるホースグリップ部と、該ホースグリップ部に延長管を介して接続される床用吸込具と、を備え、前記電動送風機が動作することにより前記床用吸込具から塵埃を含んだ空気を吸い込む電気掃除機であって、
前記ホースグリップ部と前記床用吸込具間の吸引経路には、両側に開口部を有し、前記床用吸込具から前記ホースグリップ部までが直線状に成るように構成された集塵部と、該集塵部の両側開口部にそれぞれ接続され、前記床用吸込具の接続管部と同軸上になるように、前記集塵部を挟み込ませて着脱可能に装着させる２つの装着部と、該両装着部を連結する連結部材と、を有することを特徴とする電気掃除機。
【請求項２】
電動送風機を内蔵した掃除機本体と、該掃除機本体に接続されるホースと、該ホースに接続されるホースグリップ部と、該ホースグリップ部に延長管を介して接続される床用吸込具と、を備え、前記電動送風機が動作することにより前記床用吸込具から塵埃を含んだ空気を吸い込む電気掃除機であって、
前記床用吸込具から前記ホースグリップ部までが直線状に成るように構成された集塵部を備え、
前記ホースグリップ部は、前記ホースと接続する接続管部と、前記延長管と接続する連結部と、前記集塵部の一方の開口部と前記連結部とが接続されると共に前記集塵部の他方の開口部と前記接続管部とが接続され、前記床用吸込具の接続管部と同軸上になるように、前記集塵部が着脱可能に装着される装着部と、を有することを特徴とする電気掃除機。
【請求項３】
前記集塵部がサイクロン式の集塵部であることを特徴とする請求項１又は請求項２記載の電気掃除機。
【請求項４】
前記集塵部は、内筒と外筒から成り、塵埃と共に吸い込まれた空気が流入する内筒に、内外筒間の旋回方向に向けて開口部が形成された吸気口と、旋回によって塵埃が分離された空気を吸引側に排出する排気口とを形成したことを特徴とする請求項１ないし請求項３のいずれかに記載の電気掃除機。
【請求項５】
前記吸気口の開口部からの吸気を螺旋方向に案内する案内板を備えたことを特徴とする請求項４記載の電気掃除機。
【請求項６】
前記内筒の外周側に、塵埃を補集するための鍔部を設けたことを特徴とする請求項４又は請求項５記載の電気掃除機。
【請求項７】
前記排気口にフィルタを設けたことを特徴とする請求項４ないし請求項６のいずれかに記載の電気掃除機。
【発明の詳細な説明】
【０００１】
【発明の属する技術分野】
本願発明は、ホースグリップ部と吸込具間の吸引経路に、塵埃を含んだ吸気を旋回させることで塵埃を分離するサイクロン式等の集塵部を備えた電気掃除機に関するものである。
【０００２】
【従来の技術】
従来のこの種の電気掃除機においては、例えば特開２０００−１３９７９０号公報（Ａ４７Ｌ  ９／１６）等に開示されているように、集塵部が床用吸込具の接続管部の軸上からずれた位置に設けられていた。
【０００３】
【発明が解決しようとする課題】
このように従来のこの種の電気掃除機においては、床用吸込具の接続管部の軸上からずれた位置に集塵部が設けられているため、ベットの下等の狭い隙間を掃除するときに、集塵部が邪魔になって隙間の奥の方まで掃除するのが困難であった。
【０００４】
そこで、本願発明はこのような課題を解決するためになされたものであり、ベットの下等の狭い隙間を掃除するときにも、集塵部が邪魔にならずに隙間の奥の方まで掃除することができて、操作性の向上した電気掃除機を提供することを目的とするものである。
【０００５】
【課題を解決するための手段】
上記目的を達成するために、本願発明は、電動送風機を内蔵した掃除機本体と、該掃除機本体に接続されるホースと、該ホースに接続されるホースグリップ部と、該ホースグリップ部に延長管を介して接続される床用吸込具と、を備え、前記電動送風機が動作することにより前記床用吸込具から塵埃を含んだ空気を吸い込む電気掃除機であって、前記ホースグリップ部と前記床用吸込具間の吸引経路には、両側に開口部を有し、前記床用吸込具から前記ホースグリップ部までが直線状に成るように構成された集塵部と、該集塵部の両側開口部にそれぞれ接続され、前記床用吸込具の接続管部と同軸上になるように、前記集塵部を挟み込ませて着脱可能に装着させる２つの装着部と、該両装着部を連結する連結部材と、を有することを特徴とするものである。
【０００６】
また、本願発明は、電動送風機を内蔵した掃除機本体と、該掃除機本体に接続されるホースと、該ホースに接続されるホースグリップ部と、該ホースグリップ部に延長管を介して接続される床用吸込具と、を備え、前記電動送風機が動作することにより前記床用吸込具から塵埃を含んだ空気を吸い込む電気掃除機であって、前記床用吸込具から前記ホースグリップ部までが直線状に成るように構成された集塵部を備え、前記ホースグリップ部は、前記ホースと接続する接続管部と、前記延長管と接続する連結部と、前記集塵部の一方の開口部と前記連結部とが接続されると共に前記集塵部の他方の開口部と前記接続管部とが接続され、前記床用吸込具の接続管部と同軸上になるように、前記集塵部が着脱可能に装着される装着部と、を有することを特徴とするものである。
【０００７】
さらに、前記集塵部がサイクロン式の集塵部であることを特徴とするものである。
【０００９】
また、前記集塵部は、内筒と外筒から成り、塵埃と共に吸い込まれた空気が流入する内筒に、内外筒間の旋回方向に向けて開口部が形成された吸気口と、旋回によって塵埃が分離された空気を吸引側に排出する排気口とを形成したことを特徴とするものである。
【００１０】
さらに、前記吸気口の開口部からの吸気を螺旋方向に案内する案内板を備えたことを特徴とするものである。
【００１１】
また、前記内筒の外周側に、塵埃を補集するための鍔部を設けたことを特徴とするものである。
【００１２】
また、前記排気口にフィルタを設けたことを特徴とするものである。
【００１３】
【発明の実施の形態】
以下、本願発明の一実施形態を図１〜図６を参照して詳細に説明する。
【００１４】
本実施形態においては、図示しない掃除機本体に接続されるホース１のグリップ部２における接続管部２ａにサイクロン式の集塵部３が着脱自在に取り付けられており、図１に示すように、集塵部３が取り付けられたホースグリップ部２の連結部２ｂに延長管４を介して床用吸込具５が取り付けられるように構成されている。そして、上記集塵部３は、図１に示すように、床用吸込具５の接続管部５ａと同軸上の設けられており、床用吸込具５からホースグリップ部２までが直線状を成すように構成されている。
【００１５】
上記集塵部３は、内筒１０と外筒１１から成り、床用吸込具５から塵埃と共に吸い込まれた空気が延長管４を介して流入する内筒１０のグリップ部２側には、内外筒１０，１１間の旋回方向（接線方向）に向けて開口部１２ａが形成された吸気口１２と、この吸気口１２の開口部１２ａからの空気を螺旋方向に案内するように傾斜させた案内板１３と、旋回による遠心力によって塵埃が分離された空気を吸引側に排出する排気口１５とが形成されている。上記吸気口１２と排気口１５の内筒１２内は流入側と吸引側に仕切壁１６で仕切られており、排気口１５にはフィルタ１５ａが装着されている。
【００１６】
また、上記内筒１０の中央部の外周には、塵埃を補集するための鍔部１７が設けられており、本実施形態の鍔部１７は、吸気口１２からの吸気中の塵埃がより入り易く、かつ排気口１５側により戻り難いように、吸気口１２や排気口１５に背を向けて湾曲した形状に形成されている。
【００１７】
また、上記外筒１１は、透明又は半透明部材（樹脂等）で形成されると共に、補集した塵埃を廃棄するために開閉可能に構成されている。
【００１８】
上記のように構成された集塵部３は、ホースグリップ部２の吸引側と延長管連結部２ｂ側に設けられた両装着部１８，１９間に挟み込むようにして着脱自在に装着される。両装着部１８，１９は連結部材２０によって下部側が連結されており、延長管連結部２ｂ側の装着部１９は連結部材２０にヒンジ２１を介して取り付けられ、当該装着部１９の上部には、集塵部３の同側上部に形成された係止片２２に引っ掛ける方向に付勢されたクランプフック２３が設けられている。
【００１９】
また、各装着部１８，１９には、集塵部３の両側開口部２４，２５と密接するためのパッキン２６，２７が装着されており、集塵部３を装着して延長管連結部２ｂ側の装着部１９のクランプフック２３を集塵部３側の係止片２２に引っ掛けてロックすることにより、集塵部３の両側開口部２４，２５と各パッキン２６，２７が圧設して密閉するように構成されている。
【００２０】
以上の構成において、図示しない掃除機本体に内蔵された電動送風機が動作することにより、床用吸込具５から吸い込まれた塵埃を含んだ空気は、延長管４を介して、図２，図４等に矢印で示すように集塵部３の内筒１０に吸い込まれ、吸気口１２の開口部１２ａより旋回方向に向けて外筒１１内に吸入される。
【００２１】
外筒１１内に吸入された塵埃を含んだ空気は、案内板１３に沿って外筒１１内の外周側を螺旋状に旋回しながら下降し、遠心力により塵埃が分離され、分離された塵埃は鍔部１７によって補集されて外筒１１の下方に溜まる。一方、塵埃が除去された空気は外筒１１内の内周側を通って上昇し、排気口１５よりフィルタ１５ａを通して吸引側に排出され、ホース１を介して掃除機本体側に吸引される。
【００２２】
本実施形態においては、集塵部３が、図１に示したように、床用吸込具５の接続管部５ａと同軸上に設けられていて、床用吸込具５からホースグリップ部２までが直線状を成すように構成され、しかも床用吸込具５から遠いホースグリップ部２に設けられているので、ベットの下等の隙間を掃除する時でも、従来のように集塵部が邪魔にならない。従って、ホースグリップ部２が床面に接するくらいまで寝かせた状態でベットの下等の隙間の奥の方まで床用吸込具５を挿入して掃除することができため、隙間掃除の操作性が大幅に向上する。
【００２３】
また、上記集塵部３はクランプフック２３によって着脱可能な構造となっており、補集された塵埃は図６に示すように集塵部３を取り外して、集塵部３のみをごみ箱等の上に持っていって外筒１１を開く等により容易に廃棄することができる。
【００２４】
さらに、内筒１０の中央部外周側に、塵埃を補集するための鍔部１７が設けられているので、旋回する吸気と共に塵埃が入り易く、かつ戻り難くなるため、集塵効率が向上する。
【００２５】
また、排気口１５にはフィルタ１５ａが装着されているので、旋回によって分離できないような塵埃でも集塵することができるため、集塵効率がさらに向上する。
【００２６】
また、外筒１１が樹脂等から成る透明又は半透明部材で形成されているので、掃除中でも、内筒１０の吸気口１２の開口部１２ａや排気口１５の閉塞等の状態や、溜まった塵埃の量を目で直接確かめることができ、掃除の成果や塵埃の捨て時が一目で分かって便利である。
【００２７】
なお、延長管４に上記のような集塵部を設けることもできるが、延長管４に設けた場合、ホースグリップ部２に延長管４を接続しないで使用すると、集塵部が無くても使用できてしまう不具合が生じる。そこで、上記実施形態のようにホースグリップ部２に設けることにより、集塵部３を取り外した状態では使用することができないので、使用者による間違った使用を未然に防ぐことができる。
【００２８】
また、上記実施形態では、吸気口１２の開口部１２ａからの吸気を螺旋方向に案内する案内板１３を備えたことにより、排気口１５を吸気口１２とほぼ同じ位置に設けても、螺旋状の旋回流が得られるようにしているが、排気口を内筒１０の例えば中央部等に形成すれば、案内板が無くても一定の螺旋状旋回流を得ることができる。
【００２９】
【発明の効果】
以上のように本願発明によれば、電動送風機を内蔵した掃除機本体と、該掃除機本体に接続されるホースと、該ホースに接続されるホースグリップ部と、該ホースグリップ部に延長管を介して接続される床用吸込具と、を備え、前記電動送風機が動作することにより前記床用吸込具から塵埃を含んだ空気を吸い込む電気掃除機であって、前記ホースグリップ部と前記床用吸込具間の吸引経路には、両側に開口部を有し、前記床用吸込具から前記ホースグリップ部までが直線状に成るように構成された集塵部と、該集塵部の両側開口部にそれぞれ接続され、前記床用吸込具の接続管部と同軸上になるように、前記集塵部を挟み込ませて着脱可能に装着させる２つの装着部と、該両装着部を連結する連結部材と、を有することにより、ベッドの下等の狭い隙間を掃除するときにも、集塵部が邪魔にならずに隙間の奥の方までそうじすることができて、操作性が向上する。さらに、前記集塵部を着脱自在に設けたことにより、集塵部のみを取り外して溜まった塵埃を容易に廃棄することができる。
【００３０】
また、本願発明は、電動送風機を内蔵した掃除機本体と、該掃除機本体に接続されるホースと、該ホースに接続されるホースグリップ部と、該ホースグリップ部に延長管を介して接続される床用吸込具と、を備え、前記電動送風機が動作することにより前記床用吸込具から塵埃を含んだ空気を吸い込む電気掃除機であって、前記床用吸込具から前記ホースグリップ部までが直線状に成るように構成された集塵部を備え、前記ホースグリップ部は、前記ホースと接続する接続管部と、前記延長管と接続する連結部と、前記集塵部の一方の開口部と前記連結部とが接続されると共に前記集塵部の他方の開口部と前記接続管部とが接続され、前記床用吸込具の接続管部と同軸上になるように、前記集塵部が着脱可能に装着される装着部と、を有することにより、ベッドの下等の狭い隙間を掃除するときにも、集塵部が邪魔にならずに隙間の奥の方までそうじすることができて、操作性が向上する。さらに、前記集塵部を着脱自在に設けたことにより、集塵部のみを取り外して溜まった塵埃を容易に廃棄することができる。
【００３１】
さらに、前記集塵部がサイクロン式のものに適用して、特に効果的である。
【００３２】
また、前記集塵部をホースグリップ部の接続管部に設けたことにより、床用吸込具から遠い位置に設けられることによる隙間掃除の操作性の更なる向上に加えて、上記のように集塵部が着脱自在であると、集塵部を取り外した状態では使用することができなくなるので、使用者による間違った使用を未然に防ぐことができる。
【００３３】
また、前記集塵部は、内筒と外筒から成り、塵埃と共に吸い込まれた空気が流入する内筒に、内外筒間の旋回方向に向けて開口部が形成された吸気口と、旋回によって塵埃が分離された空気を吸引側に排出する排気口とを形成したことにより、比較的簡単な構成で上述した効果を実現できる。
【００３４】
さらに、前記吸気口の開口部からの吸気を螺旋方向に案内する案内板を備えたことにより、排気口を吸気口とほぼ同一位置に設けても、螺旋状の旋回流が得られる。
【００３５】
また、前記内筒の外周側に、塵埃を補集するための鍔部を設けたことにより、旋回する吸気と共に塵埃が入り易く、かつ戻り難くなるため、集塵効率が向上する。
【００３６】
また、前記排気口にフィルタを設けたことにより、旋回によって分離できないような塵埃でも集塵することができるため、集塵効率がさらに向上する。
【図面の簡単な説明】
【図１】本願発明の一実施形態による電気掃除機のホースグリップ部に延長管を介して床用吸込具が接続された使用時の状態を示す側面図。
【図２】上記実施形態の要部側断面図。
【図３】同じく、要部側面図。
【図４】上記図２の要部拡大断面図。
【図５】上記図４のＡ−Ａ断面図。
【図６】集塵部を取り外した状態を示す要部側面図。
【符号の説明】
１  ホース
２  ホースグリップ部
２ａ  接続管部
２ｂ  連結部
３  集塵部
４  延長管
５  床用吸込具
５ａ  接続管部
１０  内筒
１１  外筒
１２  吸気口
１２ａ  開口部
１３  案内板
１５  排気口
１５ａ  フィルタ
１６  仕切壁
１７  鍔部
１８，１９  装着部
２０  連結部材
２１  ヒンジ
２２  係止片
２３  クランプフック
【図１】
0003983055.tif 000002
【図２】
0003983055.tif 000003
【図３】
0003983055.tif 000004
【図４】
0003983055.tif 000005
【図５】
0003983055.tif 000006
【図６】
0003983055.tif 000007